(57)【要約】【課題】人工芝の芝を分けて人工芝の底部を露出させ、人工芝と絡まないように容易に人工芝の固定具を打ち込めるようにする。【解決手段】人工芝に固定具を打ち込むために人工芝の芝を分けて人工芝の底部を露出させる開口器具であって、長さ方向に延びた先端部と、先端部に接続された第１及び第２の側部とを備え、第１及び第２の側部の間にＵ字釘等の固定具を通すための開口部を有し、第１及び第２の側部の外端間の距離が先端部の幅よりも大きい。【選択図】図１
2020179450.tif 000002
【特許請求の範囲】
【請求項１】
人工芝に固定具を打ち込むために前記人工芝の芝を分けて前記人工芝の底部を露出させる開口器具であって、
長さ方向に延びた先端部と、
前記先端部に接続された第１及び第２の側部とを備え、
前記第１及び第２の側部の間に前記固定具を通すための開口部を有し、
前記第１及び第２の側部の外端間の距離が前記先端部の幅よりも大きい開口器具。
【請求項２】
一対の柄と、
前記一対の柄の支点となる第１の結合具と、
前記一対の柄のそれぞれの先端に設けられた２つの第２の結合具と、
前記２つの第２の結合具にそれぞれ一端が接続され、幅方向に移動する２つの棒状体と、
前記第１の結合具と一端が接続される支持体と、
前記２つの棒状体にそれぞれ回動可能に接続される２つの板状体と、
前記２つの棒状体の他端がそれぞれ一端に接続される２つの中継部材と、
前記２つの棒状体の他端と前記２つの中継部材の一端とをそれぞれ接続する２つの第３の結合具と、
前記２つの中継部材の他端を接続し、前記支持体に設けられた長孔に移動可能に嵌め込まれた第４の結合具と、を備え、
前記支持体は前記先端部を含み、前記２つの棒状体と前記２つの板状体は前記第１及び第２の側部となり、
前記支持体と前記２つの棒状体の一方との間に前記開口部が形成される、請求項１に記載の開口器具。
【請求項３】
一対の柄と、
前記一対の柄の支点となる第１の結合具と、
前記一対の柄のそれぞれの先端に設けられた２つの第２の結合具と、
前記２つの第２の結合具にそれぞれ一端が接続され、幅方向に移動する２つの棒状体と、
前記第１の結合具と一端が接続される支持体と、
前記２つの棒状体にそれぞれ回動可能に接続される２つの板状体と、
前記２つの棒状体の他端がそれぞれ一端に接続される２つの中継部材と、
前記２つの棒状体の他端と前記２つの中継部材の一端とをそれぞれ接続する２つの第３の結合具と、
前記２つの中継部材の他端を接続し、前記支持体に設けられた長孔に移動可能に嵌め込まれた第４の結合具と、を備え、
前記支持体は前記先端部を含み、前記２つの棒状体と前記２つの板状体は前記第１及び第２の側部となり、
前記支持体に前記開口部が形成される、請求項１に記載の開口器具。
【請求項４】
柄と、
前記柄と一端が接続され、他端側に前記先端部を含む中央部と、を備え、
前記中央部の両側に前記第１及び第２の側部が接続され、
前記中央部に前記開口部が形成される、請求項１に記載の開口器具。
【請求項５】
人工芝に固定具を打ち込むために前記人工芝の芝を分けて前記人工芝の底部を露出させる開口器具を用いた人工芝への固定具の打ち込み方法であって、
前記開口器具は、長さ方向に延びた先端部と、前記先端部に接続された第１及び第２の側部とを備え、前記第１及び第２の側部の間に前記固定具を通すための開口部を有し、
前記第１及び第２の側部の外端間の距離が前記先端部の幅よりも大きい開口器具であり、
前記開口器具の先端部から前記芝内に前記開口器具を挿入し、
前記第１及び第２の側部によって前記芝を押し広げて前記底部を露出させ、
前記開口部から前記底部に前記固定具を打ち込む、人工芝への固定具の打ち込み方法。
【発明の詳細な説明】
【技術分野】
【０００１】
本発明は、人工芝へのＵ字釘等の固定具の打ち込むために用いられる開口器具及び人工芝への固定具の打ち込み方法に関する。
【背景技術】
【０００２】
人工芝にＵ字釘等の固定具を打ち込み、人工芝を地面に固定する装置は、例えば特許文献１及び特許文献２に記載されている。
【先行技術文献】
【特許文献】
【０００３】
【特許文献１】特開平０８−３００３０６号公報
【特許文献２】特開平０９−０９４７７６号公報
【発明の概要】
【発明が解決しようとする課題】
【０００４】
人工芝にＵ字釘を打ち込む場合に、人工芝にＵ字釘が絡まないように人工芝を避けながら、及び絡んだ人工芝を引き出しながらＵ字釘を打ち込むことが求められるが、このような作業は手間がかかる。
【０００５】
本発明は、Ｕ字釘が人工芝と絡まないように、人工芝の底部を露出させることができる人工芝の開口器具を提供することを目的とする。
【課題を解決するための手段】
【０００６】
（１）  本発明に係る第１の態様は、人工芝に固定具を打ち込むために前記人工芝の芝を分けて前記人工芝の底部を露出させる開口器具であって、
長さ方向に延びた先端部と、
前記先端部に接続された第１及び第２の側部とを備え、
前記第１及び第２の側部の間に前記固定具を通すための開口部を有し、
前記第１及び第２の側部の外端間の距離が前記先端部の幅よりも大きい開口器具である。
【０００７】
（２）  上記（１）の開口器具において、一対の柄と、
前記一対の柄の支点となる第１の結合具と、
前記一対の柄のそれぞれの先端に設けられた２つの第２の結合具と、
前記２つの第２の結合具にそれぞれ一端が接続され、幅方向に移動する２つの棒状体と、
前記第１の結合具と一端が接続される支持体と、
前記２つの棒状体にそれぞれ回動可能に接続される２つの板状体と、
前記２つの棒状体の他端がそれぞれ一端に接続される２つの中継部材と、
前記２つの棒状体の他端と前記２つの中継部材の一端とをそれぞれ接続する２つの第３の結合具と、
前記２つの中継部材の他端を接続し、前記支持体に設けられた長孔に移動可能に嵌め込まれた第４の結合具と、を備え、
前記支持体は前記先端部を含み、前記２つの棒状体と前記２つの板状体は前記第１及び第２の側部となり、
前記支持体と前記２つの棒状体の一方との間に前記開口部が形成されることが望ましい。
【０００８】
（３）  上記（１）の開口器具において、一対の柄と、
前記一対の柄の支点となる第１の結合具と、
前記一対の柄のそれぞれの先端に設けられた２つの第２の結合具と、
前記２つの第２の結合具にそれぞれ一端が接続され、幅方向に移動する２つの棒状体と、
前記第１の結合具と一端が接続される支持体と、
前記２つの棒状体にそれぞれ回動可能に接続される２つの板状体と、
前記２つの棒状体の他端がそれぞれ一端に接続される２つの中継部材と、
前記２つの棒状体の他端と前記２つの中継部材の一端とをそれぞれ接続する２つの第３の結合具と、
前記２つの中継部材の他端を接続し、前記支持体に設けられた長孔に移動可能に嵌め込まれた第４の結合具と、を備え、
前記支持体は前記先端部を含み、前記２つの棒状体と前記２つの板状体は前記第１及び第２の側部となり、
前記支持体に前記開口部が形成されることが望ましい。
【０００９】
（４）  上記（１）の開口器具において、柄と、
前記柄と一端が接続され、他端側に前記先端部を含む中央部と、を備え、
前記中央部の両側に前記第１及び第２の側部が接続され、
前記中央部に前記開口部が形成されることが望ましい。
【００１０】
（５）  本発明に係る第２の態様は、人工芝に固定具を打ち込むために前記人工芝の芝を分けて前記人工芝の底部を露出させる開口器具を用いた人工芝への固定具の打ち込み方法であって、
前記開口器具は、長さ方向に延びた先端部と、前記先端部に接続された第１及び第２の側部とを備え、前記第１及び第２の側部の間に前記固定具を通すための開口部を有し、
前記第１及び第２の側部の外端間の距離が前記先端部の幅よりも大きい開口器具であり、
前記開口器具の先端部から前記芝内に前記開口器具を挿入し、
前記第１及び第２の側部によって前記芝を押し広げて前記底部を露出させ、
前記開口部から前記底部に前記固定具を打ち込む、人工芝への固定具の打ち込み方法である。
【発明の効果】
【００１１】
本発明によれば、人工芝の芝を分けて人工芝の底部を露出させることができる。
人工芝の底部を露出させることで、人工芝と絡まないように容易に人工芝の固定具を打ち込むことができる。
【図面の簡単な説明】
【００１２】
【図１】本発明に係る第１の実施形態の開口器具を示す平面図である。
【図２】開口器具の側部を説明するための説明図である。
【図３】開口器具によって人工芝の芝を押し広げ、開口された底部にＵ字釘を打ち込む様子を示す図である。
【図４】人工芝にＵ字釘を打ち込む様子を示す図である。
【図５】本発明に係る第１の実施形態の開口器具の変形例を示す平面図である。
【図６】本発明に係る第２の実施形態の開口器具を上方から見た斜視図である。
【図７】本発明に係る第２の実施形態の開口器具を下方から見た斜視図である。
【図８】本発明に係る第２の実施形態の開口器具の平面図である。
【図９】本発明に係る第２の実施形態の開口器具の側面図である。
【図１０】本発明に係る第２の実施形態の開口器具の底面図である。
【発明を実施するための形態】
【００１３】
以下、本発明の実施形態について図面を用いて詳細に説明する。
（第１の実施形態）
図１は本発明に係る第１の実施形態の開口器具を示す平面図である。図２は開口器具の側部を説明するための説明図である。図３は開口器具によって人工芝の芝を押し広げ、開口された底部にＵ字釘を打ち込む様子を示す図である。図４は、人工芝にＵ字釘を打ち込む様子を示す図である。図１に示すように、開口器具１０は柄１０１ａ，１０１ｂの開閉により棒状体１０４ａ，１０４ｂが開閉するので鋏型の開口器具となっている。
【００１４】
図１に示すように、開口器具１０は、柄１０１ａ，１０１ｂ、支点となるネジ１０２、柄１０１ａ，１０１ｂのそれぞれの先端に設けられたネジ１０３ａ，１０３ｂ、ネジ１０３ａ，１０３ｂと一端が接続され、直線方向（幅方向、図１の左右方向）に移動する棒状体１０４ａ，１０４ｂ、ネジ１０２と一端が接続される支持体１０５、棒状体１０４ａ，１０４ｂにそれぞれ回動可能に接続される板状体１０６ａ，１０６ｂを備えている。また、開口器具１０は、棒状体１０４ａの他端と中継部材１０８ａの一端とを回動可能に接続するネジ１０７ａ、棒状体１０４ｂの他端と中継部材１０８ｂの一端とを回動可能に接続するネジ１０７ｂ、及び中継部材１０８ａの他端と中継部材１０８ｂの他端とを接続するネジ１０９とを備えている。
【００１５】
ネジ１０２は第１の結合具、ネジ１０３ａ，１０３ｂは第２の結合具、ネジ１０７ａ，１０７ｂは第３の結合具、ネジ１０９は第４の結合具を構成する。
棒状体１０４ａと板状体１０６ａ、及び棒状体１０４ｂと板状体１０６ｂはそれぞれ開口器具の第１の側部及び第２の側部となる。
【００１６】
支持体１０５の先端は尖状部１０５Ｔを有し、尖状部１０５Ｔにはネジ１０９が直線移動可能に嵌めこまれた長孔が設けられている。尖状部１０５Ｔは開口器具の長さ方向に延びた先端部となる。
【００１７】
図１において、使用者が開口器具１０の柄１０１ａと柄１０１ｂとの間を閉じると、ネジ１０９が長孔の前方向（図１の上方向）に移動し、支持体１０５と棒状体１０４ａとの間の開口部及び支持体１０５と棒状体１０４ｂとの間の開口部が狭くなる。板状体１０６ａ，１０６ｂを棒状体１０４ａ，１０４ｂを回動軸として下方向に回転させて、図２に示すように、板状体１０６ａ，１０６ｂを対向させる（図２中破線で示す）。なお、板状体１０６ａ，１０６ｂは、図２に示す破線の位置、すなわち、板状体１０６ａ，１０６ｂが対向する位置で止まり、これ以上内側に回転しないようになっている。この状態での棒状体１０４ａの外端と棒状体１０４ｂの外端との間の距離Ｗ１は図１に示す尖状部１０５Ｔ（開口器具の先端部）の幅ＷＴよりも大きい。なお、距離Ｗ１は板状体１０６ａの外端と板状体１０６ｂの外端との間の距離を用いてもよい。後述する距離Ｗ２についても同様である。
【００１８】
尖状部１０５Ｔから人工芝２０の芝２０２の中に挿入して、板状体１０６ａ，１０６ｂを人工芝２０の芝２０２の中に挿入する。支持体１０５が尖状部１０５Ｔを有することで、人工芝２０の芝２０２を分けて開口器具１０が挿入しやくなる。そして、距離Ｗ１＞幅Ｗであるため、板状体１０６ａ，１０６ｂが芝２０２を左右に押し広げる。
【００１９】
その後、使用者が開口器具１０の柄１０１ａと柄１０１ｂとの間を開くと、ネジ１０９が長孔の後方向（図１中下方向）に移動し、棒状体１０４ａの外端と棒状体１０４ｂの外端との間の距離がさらに大きくなり（距離Ｗ２＞距離Ｗ１＞幅Ｗ）、支持体１０５と棒状体１０４ａとの間の開口部及び支持体１０５と棒状体１０４ｂとの間の開口部が広がる。
【００２０】
図２に示すように、棒状体１０４ａの外端と棒状体１０４ｂの外端との間の距離が大きくなると、板状体１０６ａと板状体１０６ｂとの間の距離も大きくなり、図３に示すように、板状体１０６ａ，１０６ｂが芝２０２を左右に更に押し広げる。すると人工芝２０の底部２０１の底面が露出する。露出した底面に開口部を介して図３及び図４に示すようにＵ字釘３０を挿入し、さらに固定具となるＵ字釘３０を打ち込むと、芝２０２にＵ字釘３０が絡むことなく、Ｕ字釘３０を地面に打ち込むことができる。
【００２１】
本実施形態では、使用者が開口器具１０の柄１０１ａと柄１０１ｂとの間を開くと、棒状体１０４ａの外端と棒状体１０４ｂの外端との間の距離が大きくなるようにしたが、使用者が開口器具１０の柄１０１ａと柄１０１ｂとの間を開くと、棒状体１０４ａの外端と棒状体１０４ｂの外端との間の距離が小さくなるようにしてもよい。
【００２２】
（変形例）
図１に示した開口部は、Ｕ字釘を地面に打ち込むために形成されるが、開口部を設ける場所はこの構成に特に限定されない。
【００２３】
図５は本発明に係る第１の実施形態の開口器具の変形例を示す平面図である。
図１に示した実施形態の開口器具１０では、開口部は、支持体１０５と棒状体１０４ａとの間、及び支持体１０５と棒状体１０４ｂとの間に形成されるが、図５に示す変形例の開口器具１１では、支持体１０５の替わりに、先端に尖状部１１０Ｔを有する（先端が尖った）支持体１１０を用い、支持体１１０自体に開口部を設けている。かかる変形例では開口部を開口器具１１の中心に配置することができる。
【００２４】
（第２の実施形態）
第１の実施形態では、開口器具が鋏型であり、板状体１０６ａと板状体１０６ｂが左右に押し広げられることで人工芝２０の底部２０１の底面を露出させ、芝にＵ字釘が絡むことなくＵ字釘を地面に打ち込むことができるようにした。
しかし、開口器具は、開口器具を人工芝の芝の中に挿入しやすくする先端部と、芝を左右に押し広げることが可能な、先端部の幅よりも第１及び第２の側部の外端間の距離の広い第１及び第２の側部とを備えていればよい。
【００２５】
図６は本発明に係る第２の実施形態の開口器具を上方から見た斜視図である。図７は本発明に係る第２の実施形態の開口器具を下方から見た斜視図である。図８は本発明に係る第２の実施形態の開口器具の平面図である。図９は本発明に係る第２の実施形態の開口器具の側面図である。図１０は本発明に係る第２の実施形態の開口器具の底面図である。
【００２６】
図６〜図１０に示すように、開口器具４０は、柄４０１、第１の側部４０２ａ、第２の側部４０２ｂ、柄４０１と一端が接続され、他端側に先端部４０３Ｔを含む中央部４０３を備えている。中央部４０３の両側に第１の側部４０２ａ、第２の側部４０２ｂが接続されている。中央部４０３の先端部４０３Ｔは開口器具４０の先端となり、先端部４０３Ｔから人工芝２０の芝２０２の中に開口器具４０を挿入して、第１の側部４０２ａ、第２の側部４０２ｂを人工芝２０の芝２０２の中に挿入する。先端部４０３Ｔは開口器具４０の長さ方向に延びた先端部となる。第１及び第２の側部４０２ａ、４０２ｂの外端間の距離Ｗは先端部４０３Ｔの幅ＷＴよりも大きい。
【００２７】
開口器具４０を、柄４０１を押すことで押し進めると、第１の側部４０２ａ、第２の側部４０２ｂが人工芝２０の芝２０２を分けて人工芝２０の底部２０１の底面を露出させる。露出した底面に図６及び図７に示す中央部４０３の開口部を介して固定具となるＵ字釘を挿入し、さらにＵ字釘を打ち込むと、芝２０２にＵ字釘が絡むことなく、Ｕ字釘を地面に打ち込むことができる。
【００２８】
本実施形態の開口器具４０は、第１の実施形態の開口器具１０、１１よりも、構造が簡単で、操作が容易で、コストも低減できる。
【００２９】
以上、本発明の実施形態について説明したが、本発明に係る実施形態は、上述した実施形態に限るものではない。
【００３０】
本実施形態の開口器具は、先端部を備えることで人工芝の芝内に入りこみやすくし、先端部の幅よりも外端間の距離の広い第１及び第２の側部を備えることで人工芝の芝を分けて底部を露出させ、開口部を形成することで開口部を介してＵ字釘等の固定具を地面に打ち込むことを可能としている。
これらの先端部、第１及び第２の側部を備え、開口部を形成できれば、特に上述した第１及び第２の実施形態の構成に限定されない。
また、固定具はＵ字釘に限定されず、他の形状の釘を用いてもよい。
また、結合具はネジに限定されず、他の結合具を用いてもよい。
【符号の説明】
【００３１】
１０、１１、４０  開口器具
１０１ａ，１０１ｂ  柄
１０２、１０３ａ、１０３ｂ、１０７ａ、１０７ｂ、１０９  ネジ
１０４ａ，１０４ｂ  棒状体
１０５、１１０  支持体
１０６ａ，１０６ｂ  板状体
１０８ａ、１０８ｂ  中継部材
４０１  柄
４０２ａ  第１の側部
４０２ｂ  第２の側部
４０３  中央部
【図１】
2020179450.tif 000003
【図２】
2020179450.tif 000004
【図３】
2020179450.tif 000005
【図４】
2020179450.tif 000006
【図５】
2020179450.tif 000007
【図６】
2020179450.tif 000008
【図７】
2020179450.tif 000009
【図８】
2020179450.tif 000010
【図９】
2020179450.tif 000011
【図１０】
2020179450.tif 000012